(57)【要約】  【課題】舗装作業の準備を簡単化し、また、舗装する道路幅に応じて横幅が調整されたスクリードの全幅にわたって該スクリード前のアスファルト合材の量を、容易にほぼ均一にする。  【解決手段】スクリュー４で広げられたアスファルト合材が機械本体１の前方側へ散逸するのを規制するリテーニングプレート６を、機械本体１に固定された固定リテーニングプレート６ｃと、該固定リテーニングプレート６ｃの左右において伸縮自在とされた一対の伸縮リテーニングプレート６ａ，６ｂとで構成し、該一対の伸縮リテーニングプレート６ａ，６ｂを左右のスプレーバーカバー３Ａ，３Ｂにそれぞれ支持させ、左右のスプレーバーカバー３Ａ，３Ｂおよび一対のスプレーバー３ａ，３ｂの伸縮動作に伴って伸縮させるように構成した。【選択図】図１
2007303189.tif 000002
【特許請求の範囲】
【請求項１】
機械本体の後部側に、該機械本体の幅方向に伸縮自在に設けられ、路盤上にアスファルト乳剤を散布する一対のスプレーバーと、該スプレーバーの後方に所要間隔をおいて配設され、前記機械本体の前部で受入れ該機械本体の後部に送られたアスファルト合材を、前記アスファルト乳剤が散布された路盤上に撒き広げるスクリューと、前記路盤上に撒き広げられたアスファルト合材を敷き均すスクリードとを備えた道路舗装機械において、
前記スクリューの前面側を覆って該スクリューで撒き広げられたアスファルト合材が前記機械本体の前方側へ散逸するのを規制するリテーニングプレートを、前記機械本体の幅方向に伸縮自在とされた一対の伸縮リテーニングプレートで構成し、該一対の伸縮リテーニングプレートを、前記一対のスプレーバーにそれぞれ支持させて該一対のスプレーバーの伸縮動作に伴って伸縮させるように構成してなることを特徴とする道路舗装機械のリテーニングプレート装置。
【請求項２】
上記リテーニングプレートは、上記機械本体に固定された固定リテーニングプレートと、該固定リテーニングプレートの左右において伸縮自在とされた一対の伸縮リテーニングプレートとで構成し、
該各リテーニングプレートの下部にはリテーニングプレートの一部として弾性部材が取り付けられるとともに、上記一対の伸縮リテーニングプレートを上記一対のスプレーバーにそれぞれ支持させたことを特徴とする請求項１記載の道路舗装機械のリテーニングプレート装置。
【発明の詳細な説明】
【技術分野】
【０００１】
本発明は、道路舗装機械のリテーニングプレート装置に関するものであり、特に、舗装作業の準備を簡単に行うことが可能な道路舗装機械のリテーニングプレート装置に関するものである。
【背景技術】
【０００２】
従来の道路舗装機械のリテーニングプレート装置としては、例えば次のようなものが知られている。この従来技術は、機体の両側面後端部にリテーニングプレートを水平方向へ回動自在にヒンジ結合し、リテーニングプレートを機体の進行方向に対して直角に展開した位置と平行に畳んだ位置とに開閉できるようにしている。そして、リテーニングプレートを展開した位置において、該リテーニングプレートで拡張スクリューの前面を覆い、アスファルト合材が前方へ散逸するのを規制して前記拡張スクリューによるアスファルト合材の送りを容易にしている（例えば、特許文献１参照）。
【０００３】
また、道路舗装機械のリテーニングプレート装置に関連する従来技術として、例えば、次のようなアスファルト乳剤散布機械が知られている。この従来技術は、左右一対のスプレーバーが、走行車両の進行方向の前後に平行に位置をずらして該車両に支持され、該車両の幅方向に伸縮自在に設けられている。そして、アスファルト乳剤の散布幅を任意に調節することができるようにしている（例えば、特許文献２参照）。
【特許文献１】特開２００４−３００８５５号公報（第３頁、図１，２）。
【特許文献２】特許第３５４２９０３号公報（第３頁、図４）。
【発明の開示】
【発明が解決しようとする課題】
【０００４】
特許文献１に記載の従来技術においては、拡張スクリューの前面を覆う固定された長さのリテーニングプレートのみが記載されている。
【０００５】
また、特許文献２に記載の従来技術においては、車両の幅方向に伸縮自在に設けられた左右一対のスプレーバーのみが記載されている。
【０００６】
そこで、舗装作業の準備を簡単化し、また、舗装する道路幅に応じて横幅が調整されたスクリードの全幅にわたって該スクリード前のアスファルト合材の量を、容易にほぼ均一にするために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、機械本体の後部側に、該機械本体の幅方向に伸縮自在に設けられ、路盤上にアスファルト乳剤を散布する一対のスプレーバーと、該スプレーバーの後方に所要間隔をおいて配設され、前記機械本体の前部で受入れ該機械本体の後部に送られたアスファルト合材を、前記アスファルト乳剤が散布された路盤上に撒き広げるスクリューと、前記路盤上に撒き広げられたアスファルト合材を敷き均すスクリードとを備えた道路舗装機械において、前記スクリューの前面側を覆って該スクリューで撒き広げられたアスファルト合材が前記機械本体の前方側へ散逸するのを規制するリテーニングプレートを、前記機械本体の幅方向に伸縮自在とされた一対の伸縮リテーニングプレートで構成し、該一対の伸縮リテーニングプレートを、前記一対のスプレーバーにそれぞれ支持させて該一対のスプレーバーの伸縮動作に伴って伸縮させるように構成してなる道路舗装機械のリテーニングプレート装置を提供する。
【０００８】
この構成によれば、舗装する道路幅に応じて一対のスプレーバーが伸縮され、アスファルト合材の散布幅が前記舗装する道路幅に合うように調整される。このとき、前記一対のスプレーバーの伸縮動作に伴って一対の伸縮リテーニングプレートの伸縮動作が行われ、リテーニングプレートの横幅が所要幅に調整されて、スクリューで路盤上に撒き広げられたアスファルト合材が機械本体の前方側へ散逸するのが規制される。
【０００９】
請求項２記載の発明は、上記リテーニングプレートは、上記機械本体に固定された固定リテーニングプレートと、該固定リテーニングプレートの左右において伸縮自在とされた一対の伸縮リテーニングプレートとで構成し、該各リテーニングプレートの下部にはリテーニングプレートの一部として弾性部材が取り付けられるとともに、上記一対の伸縮リテーニングプレートを上記一対のスプレーバーにそれぞれ支持させたことを特徴とする請求項１記載の道路舗装機械のリテーニングプレート装置を提供する。
【００１０】
この構成によれば、一対のリテーニングプレートの下部には弾性部材が取り付けられ、一対のスプレーバーの伸縮動作に伴って、固定リテーニングプレートの左右における各伸縮リテーニングプレートの伸縮動作が行われ、リテーニングプレートの横幅が所要幅に調整される。このとき、伸縮リテーニングプレートの下部に取り付けられた弾性部材も、一体に伸縮動作が行われる。
【発明の効果】
【００１１】
請求項１記載の発明は、スクリューの前面側を覆って該スクリューで撒き広げられたアスファルト合材が機械本体の前方側へ散逸するのを規制するリテーニングプレートを、前記機械本体の幅方向に伸縮自在とされた一対の伸縮リテーニングプレートで構成し、該一対の伸縮リテーニングプレートを、一対のスプレーバーにそれぞれ支持させて該一対のスプレーバーの伸縮動作に伴って伸縮させるように構成したので、一対のスプレーバーの横幅が舗装する道路幅に合うように伸縮調整される際に、一対の伸縮リテーニングプレートの伸縮動作が行われてリテーニングプレートの横幅が所要幅に調整されることで、舗装作業の準備を簡単に行うことができる。また、スクリードは、その横幅の変更が可能な伸縮式としたものが用いられるのが一般的であり、舗装作業時には、前記一対のスプレーバーの横幅とほぼ同じ幅に調整されて使用される。したがって、前記リテーニングプレートの横幅は、舗装する道路幅に応じて調整されたスクリードの横幅に対し、これに適応した所要幅に容易に調整されることになる。この結果、スクリューで広げられたアスファルト合材が、前記リテーニングプレートで機械本体の前方側へ散逸するのが規制されて、スクリードの全幅にわたって該スクリード前のアスファルト合材の量をほぼ均一にすることができるという利点がある。
【００１２】
請求項２記載の発明は、上記リテーニングプレートは、上記機械本体に固定された固定リテーニングプレートと、該固定リテーニングプレートの左右において伸縮自在とされた一対の伸縮リテーニングプレートと一対のリテーニングプレートの下部に取り付けられた弾性部材とで構成し、該一対の伸縮リテーニングプレートを上記一対のスプレーバーにそれぞれ支持させたので、リテーニングプレートを、固定リテーニングプレートと、該固定リテーニングプレートの左右において伸縮自在とした一対の伸縮リテーニングプレートとで構成したことで、各伸縮リテーニングプレートの長さが短くなるとともに軽量となり、一対の伸縮リテーニングプレートの伸縮動作を伴う一対のスプレーバーの伸縮動作が容易且つ、良好になるという利点がある。また、リテーニングプレートの下部に取り付けられた弾性部材も一体に伸縮動作するので、スクリードの横幅が広げられた状態でも、前記伸縮リテーニングプレートおよび弾性部材によって、アスファルト號財が機械本体の前方へ散逸するのを規制できる。
【発明を実施するための最良の形態】
【００１３】
舗装作業の準備を簡単化し、また、舗装する道路幅に応じて横幅が調整されたスクリードの全幅にわたって該スクリード前のアスファルト合材の量を、容易にほぼ均一にするという目的を、機械本体の後部側に、該機械本体の幅方向に伸縮自在に設けられ、路盤上にアスファルト乳剤を散布する一対のスプレーバーと、該スプレーバーの後方に所要間隔をおいて配設され、前記機械本体の前部で受入れ該機械本体の後部に送られたアスファルト合材を、前記アスファルト乳剤が散布された路盤上に撒き広げるスクリューと、前記路盤上に撒き広げられたアスファルト合材を敷き均すスクリードとを備えた道路舗装機械において、前記スクリューの前面側を覆って該スクリューで撒き広げられたアスファルト合材が前記機械本体の前方側へ散逸するのを規制するリテーニングプレートを、前記機械本体に固定された固定リテーニングプレートと、該固定リテーニングプレートの左右において伸縮自在とされた一対の伸縮リテーニングプレートとで構成し、該一対の伸縮リテーニングプレートを前記一対のスプレーバーにそれぞれ支持させて該一対のスプレーバーの伸縮動作に伴って伸縮させるように構成することにより実現した。
【実施例１】
【００１４】
以下、本発明の実施例を図面に従って詳述する。図１は本実施例を概略的に示す平面図、図２は側面図、図３は図２における要部を拡大して断面で示す側面図である。本実施例は車輪走行式の道路舗装機械に適用されている。
【００１５】
まず、本実施例に係る道路舗装機械のリテーニングプレート装置の構成を説明する。図１及び図２において、機械本体１の後部側における後輪２の直ぐ後方に、路盤上にアスファルト乳剤を散布するための左右一対のスプレーバー３ａ，３ｂが、機械本体１の進行方向に位置をずらして該機械本体１に支持され、油圧シリンダ等により該機械本体１の幅方向に伸縮自在に設けられている。
【００１６】
前記一対のスプレーバー３ａ，３ｂはそれぞれ左右のスプレーバーカバー３Ａ，３Ｂにて被蔽され、さらに、左右のスプレーバーカバー３Ａ，３Ｂは中央のスプレーバーカバー３Ｃで覆われている。前記一対のスプレーバー３ａ，３ｂに対し、所要間隔をおいた後方には、機械本体１前部の図示しないホッパで受入れ、図示しないコンベヤで機械本体１の後部に送られたアスファルト合材を、前記アスファルト乳剤が散布された路盤上に撒き広げるスクリュー４が配設されている。
【００１７】
また、該スクリュー４の後方には、該スクリュー４で路盤上に撒き広げられたアスファルト合材を敷き均すスクリード機構５が配設されている。該スクリード機構５は、機械本体１に固定された主スクリード５ｃと、該主スクリード５ｃの後に配設され且つ、油圧シリンダ等で機械本体１の幅方向外側へ伸縮自在に取り付けられた左右一対の伸縮スクリード５ａ，５ｂとで構成されている。
【００１８】
そしてさらに、前記左右のスプレーバーカバー３Ａ，３Ｂと前記スクリュー４との間に、該スクリュー４の前面側を覆って該スクリュー４で撒き広げられたアスファルト合材が前記機械本体１の前方側へ散逸するのを規制するためのリテーニングプレート６が配設されている。該リテーニングプレート６は、機械本体１に固定された固定リテーニングプレート６ｃと、該固定リテーニングプレート６ｃから適宜間隔をおいた前方にそれぞれ配設され、該固定リテーニングプレート６ｃの左右において伸縮自在とされた一対の伸縮リテーニングプレート６ａ，６ｂとで構成されている。
【００１９】
該一対の伸縮リテーニングプレート６a，６ｂは、前記左右のスプレーバーカバー３Ａ，３Ｂにそれぞれ支持され、該左右のスプレーバーカバー３Ａ，３Ｂおよび一対のスプレーバー３ａ，３ｂの伸縮動作に伴って伸縮するように構成されている。
【００２０】
図３を用いて、機械本体１への各スプレーバーカバー３Ａ，３Ｂ，３Ｃの取付態様と、各スプレーバーカバー３Ａ，３Ｂ，３Ｃへの各リテーニングプレート６a，６ｂ，６cの取付態様等を説明する。
【００２１】
機械本体１の幅方向に延在する支持部材７が、支持軸８を介して機械本体１に懸垂支持されている。該支持部材７に転動可能に取り付けられた一対の支持ローラ９ａ，９ａにスライド部材１０がスライド自在に支持され、該スライド部材１０の下部に、左側のスプレーバー３ａが固定されている。該左側のスプレーバー３ａには図示しない適宜の連結部材を介して左側のスプレーバーカバー３Ａが一体に取り付けられ、このスプレーバーカバー３Ａの下部には、ラバープレート１１ａ，１１ａが取り付けられている。
【００２２】
また、前記支持部材７に転動可能に取り付けられた他の一対の支持ローラ９ｂ，９ｂにスライド部材１２がスライド自在に支持され、該スライド部材１２の下部に、右側のスプレーバー３ｂが固定されている。該右側のスプレーバー３ｂには、図３の紙面の奥部において、図示しない適宜の連結部材を介して右側のスプレーバーカバー３Ｂが一体に取り付けられており、さらに、これら左右のスプレーバーカバー３Ａ，３Ｂを覆う中央のスプレーバーカバー３Ｃが設けられている。
【００２３】
前記各スプレーバー３ａ，３ｂの下面には、それぞれの長さ方向に沿って、噴出口の口径の異なる複数対のノズル１３が等間隔に取り付けられている。
【００２４】
前記スプレーバーカバー３Ａ，３Ｂの後側の側面には、ブラケット１４がボルト１５の締着により後方に向けて取り付けられ、該ブラケット１４の後端部に前記伸縮リテーニングプレート６ａ，６ｂが固着されている。該伸縮リテーニングプレート６ａ，６ｂから適宜間隔をおいた後方中央部には、機械本体１に固定された固定リテーニングプレート６ｃが配置されている。
【００２５】
該固定リテーニングプレート６ｃの前面側には、取付ボルト１６，１６により取付板１７が所要量上下調整自在に取り付けられ、該取付板１７に、機械本体１の幅方向にほぼ水平に延在する支持パイプ１８が固着されている。前記伸縮リテーニングプレート６ｂの上端には、前記支持パイプ１８に対応したパイプ軸１９が固着されており、該パイプ軸１９が前記支持パイプ１８に摺動自在に挿入されている。
【００２６】
前記伸縮リテーニングプレート６ａ，６ｂの後面側下方には、固定リテーニングプレート６ｃの前面部を摺動する摺動用の当て座２０が固着されている。また、前記伸縮リテーニングプレート６ａ，６ｂの下部及び前記固定リテーニングプレート６ｃの下部には、当該伸縮リテーニングプレート６ａ，６ｂ及び固定リテーニングプレート６ｃの各一部として機能するラバープレート２１ａ，２１ｂ，２１ｃがそれぞれ取り付けられている。
【００２７】
前記支持パイプ１８内を摺動するパイプ軸１９と前記摺動用の当て座２０により、伸縮リテーニングプレート６ａ，６ｂは、スプレーバー３ａ，３ｂの伸縮動作に伴って、安定して且つスムーズに伸縮動作が行われるように構成されている。また、伸縮リテーニングプレート６ｑ，６ｂは、ボルト１５の締着及び支持パイプ１８内へのパイプ軸１９の挿入によりスプレーバーカバー３Ａ，３Ｂに支持させたことで、メンテナンス性からスプレーバーカバー３Ａ，３Ｂと伸縮リテーニングプレート６ａ，６ｂの切り離しが簡単にできるように構成されている。
【００２８】
次に、上述の構成された道路舗装機械のリテーニングプレート装置の作用を説明する。舗装する道路幅に応じて左右のスプレーバーカバー３Ａ，３Ｂおよび一対のスプレーバー３ａ，３ｂが伸縮され、アスファルト合材の散布幅が前記舗装する道路幅に合うように調整される。このとき、前記一対のスプレーバー３ａ，３ｂの伸縮動作に伴って、固定リテーニングプレート６ｃの左右における各伸縮リテーニングプレート６ａ，６ｂの伸縮動作が行われ、リテーニングプレート６の横幅が所要幅に調整される。
【００２９】
そして、スクリュー４で路盤上に撒き広げられたアスファルト合材が、前記リテーニングプレート６で機械本体１の前方側へ散逸するのが規制されて、該アスファルト合材がスクリード機構５前の路盤上に、該スクリード機構５の全幅にわたって広げられる。
【００３０】
上述したように、本実施例に係る道路舗装機械のリテーニングプレート装置においては、左右のスプレーバーカバー３Ａ，３Ｂおよび一対のスプレーバー３ａ，３ｂの横幅が舗装する道路幅に合うように伸縮調整される際に、該左右のスプレーバーカバー３Ａ，３Ｂおよび一対のスプレーバー３ａ，３ｂの伸縮調整に伴ってリテーニングプレート６の横幅が所要幅に調整されることで、舗装作業の準備を簡単に行うことができる。
【００３１】
舗装作業時に、スクリード機構５は、前記左右のスプレーバーカバー３Ａ，３Ｂおよび一対のスプレーバー３ａ，３ｂの横幅とほぼ同じ幅に調整されて使用される。したがって、リテーニングプレート６の横幅が、スクリード機構５の横幅に対し、これに適応した所要幅に容易に調整されて、前記スクリード機構５前のアスファルト合材の量を、スクリード機構５の全幅にわたってほぼ均一にすることができる。
【００３２】
リテーニングプレート６を、固定リテーニングプレート６ｃと、該固定リテーニングプレート６ｃの左右において伸縮自在とした一対の伸縮リテーニングプレート６ａ，６ｂとで構成したことで、各伸縮リテーニングプレート６ａ，６ｂの長さが短くなるとともに軽量となって、該一対の伸縮リテーニングプレート６ａ，６ｂの伸縮動作を伴う左右のスプレーバーカバー３Ａ，３Ｂおよび一対のスプレーバー３ａ，３ｂの伸縮動作を容易且つ、良好に行うことができる。
【００３３】
伸縮リテーニングプレート６ａ，６ｂの上端に固着したパイプ軸１９を、固定リテーニングプレート６ｃ側に取り付けた支持パイプ１８内に摺動自在に挿入し、また伸縮リテーニングプレート６ａ，６ｂの後面側下方には、固定リテーニングプレート６ｃの前面部を摺動する摺動用の当て座２０を設けたことで、左右のスプレーバーカバー３Ａ，３Ｂおよび一対のスプレーバー３ａ，３ｂの伸縮動作に伴って、伸縮リテーニングプレート６ａ，６ｂを安定して且つスムーズに伸縮させることができる。
【００３４】
伸縮リテーニングプレート６ａ，６ｂは、ボルト１５の締着及び支持パイプ１８内へのパイプ軸１９の挿入によりスプレーバーカバー３Ａ，３Ｂにそれぞれ支持させたことで、メンテナンス性からスプレーバーカバー３Ａ，３Ｂと伸縮リテーニングプレート６ａ，６ｂとの切り離しを簡単に行うことができる。
【００３５】
なお、上記実施例では、リテーニングプレートを、固定リテーニングプレートと、該固定リテーニングプレートの左右において伸縮自在とした一対の伸縮リテーニングプレートとで構成したが、リテーニングプレートは、一対の伸縮リテーニングプレートのみで構成し、該一対の伸縮リテーニングプレートを一対のスプレーバーの伸縮動作に伴って伸縮させるようにしてもよい。リテーニングプレートを、一対の伸縮リテーニングプレートのみで構成することで、該構成の簡素化を図ることができる。
【００３６】
また、本発明は、本発明の精神を逸脱しない限り種々の改変をなすことができ、そして、本発明が該改変されたものにも及ぶことは当然である。
【図面の簡単な説明】
【００３７】
【図１】本発明の実施例に係る道路舗装機械のリテーニングプレート装置を概略的に示す平面図。
【図２】上記実施例の側面図。
【図３】図２における要部を拡大して断面で示す側面図。
【符号の説明】
【００３８】
１          機械本体
３Ａ，３Ｂ，３Ｃ  スプレーバーカバー
３ａ，３ｂ  スプレーバー
４          スクリュー
５          スクリード機構
５ａ，５ｂ  伸縮スクリード
５ｃ        主スクリード
６          リテーニングプレート
６ａ，６ｂ  伸縮リテーニングプレート
６ｃ        固定リテーニングプレート
【図１】
2007303189.tif 000003
【図２】
2007303189.tif 000004
【図３】
2007303189.tif 000005